(57)【特許請求の範囲】
【請求項１】
トナー像を記録媒体に転写する転写部と、
記録媒体のトナー像を記録媒体に加熱定着する定着部と、
前記転写部から前記定着部に記録材を搬送する搬送路と、
空気を吸引するファンとダストを濾過するフィルタで覆われ、空気が通過する第一の開口部とフィルタで覆われていない第二の開口部とを有するダクトと、
前記第二の開口部を開閉するシャッタと、
前記シャッタが前記第二の開口部を閉じた状態で前記フィルタを介して画像形成装置内の空気を前記ダクトに吸引する第一のモードと、前記シャッタが前記第二の開口部を開けた状態で画像形成装置内の空気を前記ダクトに吸引する第二のモードと、を実行するために前記シャッタの開閉を制御する制御部と、を有し、
前記フィルタは前記搬送路に対向して設けられ、前記第二の開口部は前記定着部に対向する前記ダクトの側面に設けられていることを特徴とする画像形成装置。
【請求項２】
前記制御部は、連続画像形成をする際に画像形成開始からの所定期間経過するまでは前記第一のモードで空気を吸引し、前記所定期間経過後は前記第二のモードで空気を吸引するように前記シャッタの動作を制御することを特徴とする請求項１に記載の画像形成装置。
【請求項３】
前記フィルタは、前記定着部の長手方向に沿って配置される板状の濾過材であることを特徴とする請求項１または請求項２に記載の画像形成装置。
【発明の詳細な説明】
【技術分野】
【０００１】
本発明は、画像形成装置に関する。例えば、電子写真方式を利用して記録媒体（シート）上にトナー画像を形成する複写機、プリンタ、ファクシミリ等の画像形成装置に適用され、特に定着処理で発生するダストを捕集する吸引ユニットを備えるものである。
【背景技術】
【０００２】
電子写真式の画像形成装置は、離型剤（ワックス）を含有するトナーを用いて記録媒体（シート）にトナー像を形成し、これを定着装置において加熱加圧することにより定着処理を行っている。
【０００３】
その定着処理の際に、トナーに含有されていたワックスが気化し、その直後、凝縮して気中で粒子化することが知られている。定着装置の定着部材付近に、凝縮後の粒子化したワックス（以後、ダストとも呼ぶ）の多くが存在、浮遊していることが分かっている。このようなダストは、不快な臭気を含むことや、画像形成装置の内部機構に付着し、その動作を阻害する可能性がある。そこで、ダストに対して適切な対処が必要とされる。
【０００４】
定着処理で発生するダストを捕集するフィルタを配置し、フィルタの姿勢を変更可能とすることで、排気経路を大型化することなく、フィルタの長寿命化を図ることができる画像形成装置が知られている（特許文献１）。より具体的には、定着処理で発生するダストを含む空気の排気経路の途中にフィルタを設け、そのフィルタの姿勢を排気経路に沿って流れる空気の流れに平行な方向と、空気の流れの方向と交差する方向との間で変更する姿勢変更手段とを備える。
【先行技術文献】
【特許文献】
【０００５】
【特許文献１】特開２０１３−１９０５２０公報
【発明の概要】
【発明が解決しようとする課題】
【０００６】
しかしながら、特許文献１の構成では、フィルタが寿命を迎えたときのフィルタ交換作業が複雑化する。その理由としては、排気経路の途中にフィルタを設けているため、フィルタ部材へのアクセスに時間がかかり、更にフィルタが可動式のため、可動機構を解除してからフィルタを取り外さなければならないためである。
【０００７】
本発明の目的は、装置の大型化を招くことなく、定着処理で発生するダストを捕集するフィルタの交換作業を容易にすることができる画像形成装置を提供することにある。
【課題を解決するための手段】
【０００８】
本発明に係る画像形成装置は、トナー像を記録媒体に転写する転写部と、記録媒体のトナー像を記録媒体に加熱定着する定着部と、前記転写部から前記定着部に記録材を搬送する搬送路と、空気を吸引するファンとダストを濾過するフィルタで覆われ、空気が通過する第一の開口部とフィルタで覆われていない第二の開口部とを有するダクトと、前記第二の開口部を開閉するシャッタと、前記シャッタが前記第二の開口部を閉じた状態で前記フィルタを介して画像形成装置内の空気を前記ダクトに吸引する第一のモードと、前記シャッタが前記第二の開口部を開けた状態で画像形成装置内の空気を前記ダクトに吸引する第二のモードと、を実行するために前記シャッタの開閉を制御する制御部と、を有し、前記フィルタは前記搬送路に対向して設けられ、前記第二の開口部は前記定着部に対向する前記ダクトの側面に設けられていることを特徴とする。
【発明の効果】
【００１０】
本発明によれば、装置の大型化を招くことなく、定着処理で発生するダストを捕集するフィルタの交換作業を容易にすることができる。
【図面の簡単な説明】
【００１１】
【図１】本発明の実施形態に係る画像形成装置の概略断面図
【図２】ダスト発生現象に関する定着装置の詳細図
【図３】本発明の実施形態に係る吸引ユニットの配置に関する説明図
【図４】本発明の実施形態に係る吸引ユニットの作用に関する説明図
【図５Ａ】本発明の実施形態に係る吸引ユニットの構成に関する説明図
【図５Ｂ】本発明の実施形態に係る吸引ユニットの構成に関する説明図
【図６】ダストの性質の説明図
【図７】本発明の実施形態に係る画像形成装置のブロック図
【図８】本発明の実施形態に係る画像形成装置のフローチャート
【発明を実施するための形態】
【００１２】
以下に、本発明の好ましい実施の形態を、添付の図面に基づいて詳細に説明する。
【００１３】
《第１の実施形態》
（画像形成装置）
図１は、吸引ユニットとしてのフィルタユニット５０を備えた本発明の実施形態に係る画像形成装置１の概略断面図である。この画像形成装置１は、電子写真プロセスを用いた、４色フルカラーのレーザービームプリンタ（カラー画像形成装置）である。画像形成装置１は、画像形成部５として第１から第４の４つの画像形成ステーション（プロセスカートリッジ）５Ｙ、５Ｍ、５Ｃ、５Ｋを備えている。第１から第４の画像形成ステーション５Ｙ、５Ｍ、５Ｃ、５Ｋは、装置本体１内のほぼ中央部にあって、図１において左側から右側にかけてほぼ水平方向に順次に平行に配列されている。
【００１４】
そして、各画像形成ステーションは同様の電子写真プロセス機構を有している。本実施形態の各画像形成ステーション５Ｙ、５Ｍ、５Ｃ、５Ｋは、画像が形成される像担持体としての回転ドラム型の電子写真感光体（以下、ドラムと記す）６を有する。また、このドラム６に作用するプロセス手段としてのクリーニング部材４１、現像ユニット９、帯電ローラ（不図示）を有している。
【００１５】
第１の画像形成ステーション５Ｙにおいて、現像ユニット９のトナー収容室内にイエロー（Ｙ）色の現像剤（以下、トナーと記す）が収容されている。また、第２の画像形成ステーション５Ｍにおいて、現像ユニット９のトナー収容室内にマゼンタ（Ｍ）色のトナーが収容されている。また、第３の画像形成ステーション５Ｃにおいて、現像ユニット９のトナー収容室内にシアン（Ｃ）色のトナーが収容されている。そして、第４の画像形成ステーション５Ｋにおいて、現像ユニット９のトナー収容室内にブラック（Ｋ）色のトナーが収容されている。
【００１６】
各画像形成ステーション５Ｙ、５Ｍ、５Ｃ、５Ｋの下側（鉛直方向）には、それぞれのドラム６に対する画像情報露光手段としてのレーザースキャナユニット８が配置されている。また、各画像形成ステーション５Ｙ、５Ｍ、５Ｃ、５Ｋの上側（鉛直方向）には、中間転写ベルトユニット１０が設けられている。
【００１７】
中間転写ユニット１０は、中間転写ベルト（以下、ベルトと記す）１０ｃとそれを駆動する駆動ローラ１０ａ有する。また、ベルト１０ｃの内側には各画像形成ステーション５Ｙ、５Ｍ、５Ｃ、５Ｋのそれぞれのドラム６に対向する第１から第４の４つの一次転写ローラ１１が平行に配設されている。各画像形成ステーション５Ｙ、５Ｍ、５Ｃ、５Ｋのそれぞれのドラム６は、上面部分が各一次転写ローラ１１の位置においてベルト１０ｃの下面に接しており、その接触部が一次転写部である。
【００１８】
ベルト１０ｃを回転駆動する駆動ローラ１０ａのベルト屈曲部の外側には、二次転写ローラ１２が配設されている。ベルト１０ｃと二次転写ローラ１２との接触部１２ａは、転写手段である二次転写部を形成する。
【００１９】
また、ベルト１０ｃにテンションを与えるテンションローラ１０ｂのベルト屈曲部の外側には転写ベルトクリーニング装置１０ｄが配設されている。画像形成装置１の下部には、用紙のカセット３が配設されている。
【００２０】
図１において、カセット３からピックアップされた記録媒体（用紙）は上方へ搬送される。搬送路には、鉛直方向において下側から上側に順に、給送ローラ４ａとリタードローラ４ｂとのローラ対、レジストローラ対４ｃ、二次転写ローラ１２、定着ベルト１０５を備えた定着装置（定着部）１０３、ガイド部材１５、排出ローラ対１４が配設されている。そして、画像が記録された用紙が排出される排出トレイ（排出用紙積載部）１６がイメージリーダ２の下方（鉛直方向）に設けられている。
【００２１】
なお、図１において、１０００は後に詳述する制御部である。
【００２２】
（画像形成動作）
フルカラー画像を形成するための動作は、次のとおりである。画像形成タイミングに合わせて、第１から第４の各画像形成ステーション５Ｙ、５Ｍ、５Ｃ、５Ｋのドラム６が所定の速度で回転駆動される。これにより、ベルト１０ｃはドラムの回転に順方向に、ドラム６の速度に対応した速度で回転駆動される。そして、レーザースキャナユニット８も駆動される。
【００２３】
この駆動に同期して、各画像形成ステーション５Ｙ、５Ｍ、５Ｃ、５Ｋにおいて、所定の帯電バイアスが印加された不図示の帯電ローラによりドラム６の表面が所定の極性・電位に均一に帯電される。そして、レーザースキャナユニット８は各ドラム６の表面をＹ・Ｍ・Ｃ・Ｋの各色の画像情報信号に応じて変調されたレーザービームで走査露光する。これにより、各ドラム６の表面に対応色の画像情報信号に応じた静電潜像が形成される。形成された静電潜像は、現像ユニット９によりトナー像（現像剤像）として現像される。
【００２４】
上記のように形成されたＹＭＣＫ各色のトナー像は、一次転写部において、ベルト１０ｃ上に重ねて一次転写される。このようにして、移動するベルト１０ｃ上にＹ色＋Ｍ色＋Ｃ色＋Ｋ色の４色フルカラーの未定着トナー像が合成形成される。そして、この未定着トナー像は、ベルト１０ｃの回転により搬送されて転写部である接触部１２ａに至る。なお、各画像形成ステーション５において、ベルト１０ｃに対するトナー像の一次転写後のドラム６の表面は、クリーニング部４１により残トナーをクリーニングされて、次の作像工程に供される。
【００２５】
一方、カセット３内の用紙が、所定の制御タイミングで給送ローラ４ａとリタードローラ４ｂによって、１枚分給送されてレジストローラ対４ｃへ搬送される。用紙は、レジストローラ対４によって所定の制御タイミングで二次転写部へ搬送される。二次転写ローラ１２には、所定の制御タイミングにて、トナーの正規の帯電極性とは逆極性の二次転写バイアスが印加される。これにより、用紙が二次転写部を挟持搬送されていく過程において、ベルト１０ｃ上の４色トナー像が用紙Ｐの面に一括して二次転写される。
【００２６】
二次転写部を出た用紙Ｐは、ベルト１０ｃから分離され、無端ベルトである定着ベルト１０５と対向するローラ（加圧ローラ）１０２とで定着ニップ部（ニップ部）が形成される定着装置１０３へ搬送されて、トナー像が用紙上に加熱定着される。定着装置１０３を出た用紙は、排出ローラ対１４を経て排出トレイ１６に排出される。用紙に対するトナー像の二次転写後にベルト１０ｃの表面に残留した残トナーは、転写ベルトクリーニング装置１０ｄによりベルト表面から除去され、クリーニングされたベルト表面が次の作像工程に供される。
【００２７】
（ダストの発生）
次に、本実施形態において対象とするトナーに含有される離型剤（以下、ワックスと称する）に起因するダストの発生と、ダストの性質について説明する。
【００２８】
１）トナーに含有されるワックス
定着処理時に、トナーが定着ベルト１０５に転移してしまうオフセットと呼ばれる現象を生じる可能性があり、このようなオフセット現象は画像不良など問題を引き起こす要因となってしまう。そこで、ワックスをトナーに内包させ、定着処理時にトナーからワックスが染み出るようにしている。その結果、加熱により溶融したワックスが定着ベルト１０５と用紙上のトナー像の界面に介在することになり、オフセット現象を防止する（離型作用）ことが可能となる。
【００２９】
本実施形態ではパラフィンワックスを用いており、ワックスの融点は約７５℃前後である。ニップ部を目標設定温度である１７０℃に保った場合、トナー中のワックスが瞬時に溶融してトナー像と定着ベルト１０５の界面に染み出るように融点は設定されている。
【００３０】
この定着処理において、ワックスの一部は気化（揮発）する。気化したワックス成分は、空気中で冷やされて凝縮し、その直後では粒径が数ｎｍ〜数百ｎｍ程度の微粒子（ダスト）が存在し得る。但し、多くは、１００ｎｍ以下の粒径の微粒子となっているものと推察される。このダストはワックス成分であるため粘着性を有しており、画像形成装置１の内部の各所に付着して問題を起こす可能性がある。
【００３１】
２）ダストの発生箇所
次に、ダストの発生箇所について説明する。図２は、ダスト発生現象に関する定着装置１０３（図１）の詳細図である。トナー像Ｓを載せた用紙Ｐがニップ部１０１ｂに挟持搬送されている状況にあり、ダストが発生している状態を示している。用紙Ｐ上のトナーＳから染み出したワックスは、定着ベルト１０５とトナー像の界面に介在するわけであるが、ワックスの一部は定着ベルト１０５に移行して、定着ベルト１０５上で搬送される過程で加熱される。
【００３２】
定着ベルト１０５の表面の温度は、ニップ部１０１ｂにおける用紙Ｐとの接触によって１００℃程度まで低下してしまうが、定着ベルト１０５の裏面の基層の温度はヒータ１０１ａとの接触によって高温に保たれている。そのため、定着ベルト１０５がニップ部１０１ｂを通過した後、高温に保たれた基層の熱が、定着ベルト１０５の表面に伝わっていく。その為、定着ベルト１０５の表面の温度は、定着ベルト１０５がＲ１０５方向に回転する（対向する加圧ローラはＲ１０２方向に回転する）過程で、ニップ部１０１ｂを通過した後に上昇してゆき、ニップ部１０１ｂの入口側付近で一番高い温度に達する。
【００３３】
図２（ａ）に示すように、用紙Ｐの先端の一部がニップ部１０１ｂを抜けた段階では、トナー像Ｓから定着ベルト１０５に移行したワックスは、領域１３５ａにしか存在しない。この領域１３５ａの温度は低い為、ワックスは揮発せず、ダストも発生しない。
【００３４】
しかし、図２（ｂ）に示すように、さらに用紙Ｐがニップ部１０１ｂをＸ方向に進行すると、ワックスは定着ベルト１０５の全周（領域１３５ｂ）に存在し、高温となるニップ部１０１ｂの入口側付近、すなわち領域１３５ｃでワックスが揮発する。揮発したワックスは、すぐに凝縮し始める為、ダストはニップ部１０１ｂの入口付近に多く存在することとなる（図２（ｂ）にダストＤとして示す）。
【００３５】
（吸引ユニット）
次に、上述のダスト発生箇所を踏まえ、図３乃至図５Ａ、５Ｂを用いて、吸引ユニットとしてのフィルタユニット５０について説明する。先ず、フィルタユニット５０の配置を図３に示す。図３（ａ）は斜視図であり、図３（ｂ）は断面図である。そして、フィルタユニット５０の作用を図４に示す。図４（ａ）はフィルタユニット５０の分解斜視図を、図４（ｂ）はフィルタユニット５０の空気（エア）の出入りを表している。そして、図５Ａ、図５Ｂを用いてフィルタユニット５０の構成を説明する。
【００３６】
図３（ａ）に示すフィルタユニット５０は、図３（ｂ）に示すように定着装置１０３のニップ部１０１ｂと、転写手段である二次転写ローラ１２における転写部（二次転写部）との間に位置している。より具体的には、フィルタユニット５０は、ダスト発生箇所である定着ベルト１０５の近傍にあると共に用紙Ｐに対向する位置に配置される。
【００３７】
なお、図３（ａ）で、４００は用紙入口、５５０は用紙出口である。
【００３８】
図３（ａ）、図４（ａ）に示す吸引手段としての気流発生手段（エアフロー発生手段）であるファン６１によって、図４（ａ）に示すダクト５２の開口部（第１の開口部）５２ａからダストＤを含む空気（エア）を吸引するように構成されている。ブロワファンタイプのファン６１は、吸気口６１ａを介してダクト５２内のエアを吸気し、排気口６１ｂを経由して画像形成装置の外部へと排気する。
【００３９】
ここで、ダクト５２における吸引経路の最上流側（入口）に設けられる開口部５２ａには、後に詳述するような吸引されるエアからダストを濾過（除去）する板状の濾過材である静電不織布フィルタ（フィルタ）５１が固設されている。しかし、高静圧を特徴とするブロワファンタイプのファン６１は、フィルタ５１のような通気抵抗体があっても一定の風量を確保することができる。
【００４０】
このような開口部５２ａの位置に開口部５２ａを塞ぐように設けられるフィルタ５１（静電気を保持した繊維を不織布状に形成）によって、低い通気抵抗でありながらダストを高効率で濾過（除去）することができる。
【００４１】
ニップ部１０１ｂが形成される面内で、用紙Ｐの搬送方向（図２のＸ方向）に直交する方向を長手方向とするとき、フィルタ５１の長手方向は、定着装置１０３の長手方向に対し一定の長さ（略同等もしくはそれ以上）を有している。本実施形態では、略同等としている。このようにして、用紙Ｐのトナー像から定着ベルト１０５に移行したワックスから発生するダストを、フィルタ５１により定着ベルト１０５の長手方向において確実に捕集できるように構成されている。
【００４２】
排気経路の途中にフィルタが設けられる従来例（特許文献１）と異なり、本実施形態ではダクト５２の入口からフィルタまでの排気経路を省略することができる。このように、ダクト５２の入口にフィルタ５１を設けることで、本実施形態ではフィルタユニット５０を小型化し易い。そして、このような配置によって、フィルタユニット５０は小型化を可能とすると同時に、ダクトの入口である開口５２ａ（図４（ａ））におけるエア通過風速を長手方向に均一化することができる。
【００４３】
また、開口５２ａ（図４（ａ））に通気抵抗体であるフィルタ５１を配置することによって、フィルタ５１の背面領域全域を一定負圧に保つことができる。すなわち、図４（ｂ）に示すポイント５３ａと５３ｂと５３ｃの負圧は、略同じ値になっている。これは、フィルタ５１の通気抵抗が、ダクト５２内の通気抵抗よりも格段に大きいためである。
【００４４】
ポイント５３ａと５３ｂと５３ｃの負圧が同レベルであれば、フィルタ５１に吸引されるエアＦ４の風速は、フィルタ５１の全面にわたって均一化される。風速が均一化される結果、フィルタユニット５０は、定着ベルト１０５から発生するダストを効率良く（最小限の風量で）回収することができる。
【００４５】
ここで、ダクト５２には第一の開口部としての開口部５２ａの他に、図５Ａ（ａ）に示すように第二の開口部としての開口部２００が設けられ、開口部２００は開閉手段３００により開閉可能となっている。開口部２００については、転写部と定着部との間（用紙Ｐの搬送路）に対して、フィルタ５１より遠い側に設けている。即ち、フィルタ５１はダクト５２における開口部２００より近い側に設けられている。
【００４６】
開閉手段３００は、開口部を覆う蓋（シャッタ）３０１、蓋３０１の一端に設けられダクト５２に対して蓋３０１を回動させる回転軸３０２、回転軸を回転させる伝達ギア３０３、伝達ギアに駆動を伝える駆動ギア３０４、駆動ギアを駆動させる駆動モータ３０５から成る。
【００４７】
駆動モータ３０５は、制御部１０００（図１）によって制御され、正逆回転可能である。駆動モータ３０５が正回転したときは、蓋３０１が反時計周りに回動して開口部２００を開状態とする（図５Ａ（ａ））。駆動モータ３０５が逆回転したときは、蓋３０１が時計回りに回動して開口部３００を閉状態とする（図５Ａ（ｂ））。
【００４８】
吸引経路として第１および第２の吸引経路が選択できるように、制御部１０００（図１）によって、第１および第２のモードを含む群の中から第１のモード（第一のモード）もしくは第２のモード（第二のモード）が制御部１０００で選択可能である。本実施形態では、第１のモードと第２のモードのいずれかのみが制御部１０００で選択可能である（即ち、二者択一となっている）。
【００４９】
第１のモードでは、蓋３０１が時計周りに回動して開口部２００を閉じた状態でダクト５２に吸引されるエアをフィルタ５１に通す。一方、蓋３０１が反時計周りに回動して第２のモードでは開口部２００を開いた状態でダクト５２に吸引されるエアを開口部２００に通す。これは、フィルタ５１の通気抵抗が開口部２００の通気抵抗よりも格段に大きいためである。
【００５０】
本実施形態では、フィルタ５１を通して排気する場合とフィルタ５１を通さずに排気する場合とを切り替えることができるので、フィルタ５１を長寿命化できる。また、一つのファン６１とダクト５２で実現しているので、本体サイズを小型化できる。
【００５１】
さらに、本実施形態では、フィルタ５１が固定配置され、フィルタ５１を通す第１のモードと、フィルタ５１を通さない第２のモードとの切替えを、フィルタ５１とは関係のない開閉手段３００で行う。このため、いわゆるフィルタが可動機構になっている場合のようにフィルタ交換作業時に可動機構を解除する必要がない。これにより、フィルタの取り外し（交換）作業が容易になる。そして、フィルタ５１を排気経路の入口（最上流側）に設けているため、フィルタの取り外し（交換）作業においてフィルタ５１のアクセス自体も容易である（図５Ｂ）。
【００５２】
（ダストの性質と第１および第２のモードの使い分け）
次にダストの性質を詳述し、第１のモードと第２のモードとの使い分けについて説明する。まず、ダストの性質として高温下で大型化することが知られている。図６に示すように、加熱源２０ａの上に沸点１５０〜２００℃の高沸点物質２０を置き、２００℃前後に加熱すると、高沸点物質２０の揮発物２１ａが発生する。揮発物２１ａは常温空気に触れると直ちに沸点温度以下になるので、空気中で凝縮し、数ｎｍ〜数十ｎｍ程度の粒径の微粒子（ダスト）２１ｂに変化する。
【００５３】
このとき、気中におけるガスの凝集／粒子化は、気中温度が高いほど阻害される。これは、気中温度が高いほどガスの蒸気圧が上がり、ガス分子は気体状態を維持し易い為である。その結果、気中温度が高くなるにつれてダストの生成個数は少なくなっていく。
【００５４】
なお、上記のような過程で生成したダスト２１ｂは、ブラウン運動により空気中を移動しているので、互いに衝突して合体し、より大きな粒径のダスト２１ｃに成長することが知られている。この成長は、ダストが活発に移動すればするほど、言い換えると気中温度が高温状態にあればあるほど促進される。結果として、定着ベルト１０５から発生するダストの粒径は、定着ベルト１０５近辺の空間温度が高い程大きくなり、且つダストの個数は減少する。
【００５５】
なお、ダストの大型化は、ダストが一定サイズ以上になると次第に鈍化して止まる。これは、合体によってダストが大径化するとブラウン運動が不活発になり、粒子同士の衝突頻度を減らすためと推定される。
【００５６】
従って、雰囲気が高温になり、ダストの大型化が促進されるほど、ダストは定着装置内に留まり（定着装置内壁に付着する等）、結果として定着装置外に拡散され難くなるといえる。
【００５７】
以上より、本実施形態では、定着装置周辺の雰囲気温度が低く定着装置外へダストを拡散し易いとき（立ち上げ時）は、開口部２００が閉状態でファン６１を動作させる第１のモードに切り替え、フィルタ５１によりダストを積極的に捕集する。一方、定着装置周辺の雰囲気温度が高く定着装置外へダストを拡散し難いとき（画像形成動作を開始して１０分経過後）は、開口部２００が開状態でファン６１を動作させる第２のモードに切り替え、フィルタ５１によりダストを積極的に捕集することをしない。
【００５８】
なお、本実施形態では、画像形成動作を開始して１０分経過する前は、開口部２００が閉状態でファン６１を動作させないようにする。
【００５９】
（制御フロー）
次に、第１のモードと第２のモードとの切り替えを行う制御について説明する。図７、８に、本実施形態のブロック図およびフローチャートを示す。ここで、本実施形態では、ダストの発生状況を示す情報を出力する出力手段（第２のモードに切り換えるタイミングを検出する手段）として連続通紙時間を出力する出力手段を用いる。
【００６０】
図５Ａ（ａ）に示した開口部２００を塞ぐ蓋３０１の開閉は、駆動モータ３０５の動力で行われ、駆動モータ３０５の制御は制御部１０００（図１）におけるＣＰＵ５００（図７）で実行される。
【００６１】
図８には示していないが、立ち上げ時には、開口部２００が閉状態でフィルタ５１を通して排気する第１のモードの状態を取る。そして、画像形成の指示が入力されると、図８に示すように画像形成動作を開始する（Ｓ１００）。画像形成動作を開始すると、連続通紙時間が１０分経過したか否かを確認する（Ｓ１０１）。連続通紙時間が１０分経過した場合は、第２のモードとして、駆動モータ３０５を正回転し、蓋３０１を反時計周りに回動させて開口部２００を閉状態から開状態へ変更する（Ｓ１０２）。
【００６２】
そして、開口部２００を開状態のまま画像形成終了したか否かを確認する（Ｓ１０３）。画像形成中の場合は、蓋３０１が開いた状態を維持する。画像形成が終了した場合は、駆動モータ３０５を逆回転し、蓋３０１を回動させて開口部２００を閉状態にして（Ｓ１０４）終了する。
【００６３】
本実施形態において、扱うダスト（１００ｎｍ以下の粒子）は画像形成開始後の数分間に発生が増大するため、画像形成終了時には必ず開口部２００を閉じる。そして、次回立ち上げ時には、開口部２００を閉じた状態でフィルタ５１を通して排気する第１のモードの状態を取る。
【００６４】
なお、ダストの発生状況を示す情報を出力する出力手段（第２のモードに切り換えるタイミングを検出する手段）としては連続通紙時間を出力する出力手段に限定されるものではない。連続通紙時間の替りに連続通紙枚数を用いても良いし、作像部周辺に配置される機内温度センサにより機内全体の温まりから判断しても良いし、定着装置に専用の温度センサを設けて直接雰囲気温度で判断しても良い。
【００６５】
本実施形態によれば、定着処理で発生するダストを捕集するフィルタを排気経路入口（上流側）に配置するため、交換作業時フィルタへのアクセスが容易となる。そして、ダクトの一部に開閉可能な開口部（第２の開口部）を配置する一方、第１の開口部を塞ぐように設けられるフィルタを固定配置するため、交換作業時に可動機構を解除する必要がないため、フィルタの取り外し作業も容易になる。よって、フィルタ交換作業が容易な画像形成装置を提供できる。
【００６６】
そして、本実施形態によれば、ダストを捕集する必要がある場合はフィルタを通して排気し、ダストを捕集する必要がない場合はフィルタを通さずに排気することで、フィルタの長寿命化を図ることもできる。
【００６７】
（変形例）
以上、本発明の実施の形態を説明したが、本発明はこれらの実施の形態に限定されず、その要旨の範囲内で様々な変形及び変更が可能である。
【００６８】
（変形例１）
（変形例）
上述した実施形態では、本発明の好ましい実施形態を説明したが、本発明はこれに限定されず、本発明の範囲内で種々の変形が可能である。
【００６９】
（変形例１）
上述した実施形態では、定着部として定着部材をヒータ加熱するものを示したが、本発明はこれに限られず、電磁誘導加熱するもの、ランプ加熱するもの、定着ベルト自身が発熱するもの等であっても良い。
【００７０】
また、上述した実施形態では、定着部として無端ベルトである定着ベルト１０５と加圧ローラ１０２とでニップ部を形成するものを示したが、本発明はこれに限られるものではない。例えば、定着ベルトの替りに定着ローラを用いるものであっても良いし、加圧ローラの替りに無端ベルトで構成される回転体であっても良い。
【００７１】
そして、回転体および加圧体としての加圧用回転体が定着回転体を加圧する場合を示したが、加圧体としてでなく対向体としての回転体が定着回転体としての定着ベルトから加圧される場合にも同様に適用できる。ここで、対向体とは、定着回転体に対向し、定着回転体と圧接して定着ニップ部を形成し、移動する記録材を定着ニップ部で挟持する部材である。
【００７２】
（変形例２）
上述した実施形態では、記録媒体として用紙Ｐを説明したが、紙に限定されるものではない。一般に、記録媒体とは、画像形成装置によってトナー像が形成されるシート状の部材であり、例えば、定型或いは不定型の普通紙、厚紙、薄紙、封筒、葉書、シール、樹脂シート、ＯＨＰシート、光沢紙等が含まれる。なお、上述した実施形態では、便宜上、用紙）Ｐの扱いを通紙という用語を用いて説明したが、これによって本発明における記録媒体が紙に限定されるものではない。
【００７３】
（変形例３）
上述した実施形態では、未定着トナー像をシートに定着する定着装置を基に説明したが、本発明は、これに限らず、画像の光沢を向上させるべく、シートに仮定着されたトナー像を加熱加圧する装置（この場合も定着装置と呼ぶ）にも同様に適用可能である。
【符号の説明】
【００７４】
１２ａ・・接触部（転写部）、５１・・フィルタ、５２・・ダクト、６１・・ファン、１０３・・定着装置、２００・・開口部、３００・・開閉手段、５００・・制御部、Ｐ・・用紙
【図１】
0006727915.tif 000002
【図２】
0006727915.tif 000003
【図３】
0006727915.tif 000004
【図４】
0006727915.tif 000005
【図５Ａ】
0006727915.tif 000006
【図５Ｂ】
0006727915.tif 000007
【図６】
0006727915.tif 000008
【図７】
0006727915.tif 000009
【図８】
0006727915.tif 000010